(57)【要約】【課題】店舗の内外装デザインによる美観の毀損を抑制する、移動可能な理美容用椅子を提供する。【解決手段】ベース付き椅子は、座部と、座部の下面に接続された支持部８０と、支持部８０の下端に接続されたベース１００と、を備える。該ベース付き椅子において、ベース１００は、ベース本体１１０と、ベース本体１１０の外周縁に取り付けられベース本体１１０の表面に板状部材１３０が載置されたときに板状部材１３０の側面の少なくとも一部を覆うことができる保持部材１２０と、を有する。【選択図】図２
2017184819.tif 000002
【特許請求の範囲】
【請求項１】
座部と、
前記座部の下面に接続された支持部と、
前記支持部の下端に接続されたベースと、を備え、
前記ベースは、ベース本体と、前記ベース本体の外周縁に取り付けられ、前記ベース本体の表面に板状部材が載置されたときに該板状部材の側面の少なくとも一部を覆う保持部材と、を有するベース付き椅子。
【請求項２】
前記保持部材が前記ベース本体の周方向に沿って延在している、請求項１に記載のベース付き椅子。
【請求項３】
前記保持部材は、前記ベース本体の表面に前記板状部材が載置されたときに前記板状部材の表面に対向する部分を有する請求項１又は２に記載のベース付き椅子。
【請求項４】
前記保持部材は前記ベース本体の裏面に対向する部分を有する請求項１又は２に記載のベース付き椅子。
【請求項５】
前記ベース本体に対する前記保持部材の上下方向の位置を変化させる位置変化機構を更に備える請求項４に記載のベース付き椅子。
【請求項６】
前記保持部材の側面の少なくとも一部は鏡面状である請求項１から５のいずれか一項に記載のベース付き椅子。
【請求項７】
前記保持部材は、ゴム系の材料からなる請求項１から４のいずれか一項に記載のベース付き椅子。
【請求項８】
前記保持部材は、前記ベース本体の表面に対向する部分を有する請求項７に記載のベース付き椅子。
【請求項９】
前記支持部の側面の少なくとも一部は鏡面状である請求項１から８のいずれか一項に記載のベース付き椅子。
【請求項１０】
前記支持部が四角柱状の部分を有する請求項１から９のいずれか一項に記載のベース付き椅子。
【請求項１１】
座部と、
前記座部の下面に接続された支持部と、
前記支持部の下端に接続されたベースと、を備え、
前記ベースは、ベース本体と、前記ベース本体の表面に載置された板状部材と、前記ベース本体の外周縁に取り付けられ、前記板状部材の側面の少なくとも一部を覆う保持部材と、を有するベース付き椅子。
【請求項１２】
ベース本体と、
前記ベース本体の表面に載置された板状部材と、
前記ベース本体の外周縁に取り付けられ、前記板状部材の側面の少なくとも一部を覆う保持部材と、を備えたベース。
【発明の詳細な説明】
【技術分野】
【０００１】
本発明は、ベース付き椅子及びベースに関する。
【背景技術】
【０００２】
従来より、理美容院等で使用される椅子（理美容用椅子）においては、理美容の施術者(理美容師)や被施術者（椅子を使用する客）の身体的特徴（例えば、身長や座高）や施術内容に応じて最適な座面高さにするために、理美容用椅子の座面の下方には座面昇降機構を内装した支持部が設けられている。また、理美容用椅子の転倒を防止するために、座面昇降機構の下端には大面積のベース（台座）が設けられている（例えば、特許文献１を参照）。ベースは強度が必要なため、一般的に鉄等の金属材料が用いられている。
【先行技術文献】
【特許文献】
【０００３】
【特許文献１】特開２０１４−２００４７５号公報
【発明の概要】
【発明が解決しようとする課題】
【０００４】
現在の理美容院は、単にヘアスタイルを整えるだけの場所ではなく、店舗イメージを具現化した内外装デザインが引き起こす美観や雰囲気を楽しむ場所になってきている。実際に、内外装デザインを基準に理美容院を選択する客も多くいる。そのため、理美容院の経営者にとって、理美容院の内外装デザインに注力することは、他店舗との差異化を図るために重要である。理美容店の経営者は、自らの嗜好や店舗イメージを考慮して、内外装デザインを決定する。
【０００５】
理美容院にとって、理美容用椅子は客が直接座るものであり、又、サイズも大きいので、内外装デザインにおいて大きな役割を果たしている。そのため、理美容用椅子においては、特に客の目を引きやすい椅子部（客が座る部分）のデザインが重視されており、従来から多種多様な形状や材質の椅子部を備えた理美容用椅子が存在している。そのため、椅子部のデザインについては、店舗の内外装デザインに合うものを選択することができる。しかしその一方で、椅子部の下方にある支持部やベースには強度が必要であるという理由から金属材料が用いられることが多かった。支持部やベースの金属部分はそのまま露出しているため、椅子部と比較して、支持部やベースのデザインは限定的であり、選択の幅は狭かった。
【０００６】
また、金属部分が露出した理美容用椅子を、例えばフローリング床等の木材を内外装デザインの基調にする店舗に用いた場合には、金属部分の露出により店舗の内外装デザインが引き起こす美観や雰囲気が失われ、店舗イメージを毀損するおそれがあった。
【０００７】
これに対して、ベースの金属部分を露出させないようにするため、支持部を床に直接固定する理美容用椅子も存在している。しかし、毛髪等の散乱による清掃を頻繁に行う理美容院において、床に固定された理美容用椅子は清掃効率を低下させる原因となるので好ましいものではなかった。
【０００８】
このように、店舗の内外装デザインによる美観の毀損を抑制する、移動可能な理美容用椅子が求められている。
【課題を解決するための手段】
【０００９】
本発明に係るベース付き椅子の一つの実施形態は、座部と、前記座部の下面に接続された支持部と、前記支持部の下端に接続されたベースと、を備え、前記ベースは、ベース本体と、前記ベース本体の外周縁に取り付けられ、前記ベース本体の表面に板状部材が載置されたときに該板状部材の側面の少なくとも一部を覆う保持部材と、を有する。
【００１０】
このような構成であれば、ベース本体の表面に板状部材が載置されたときに、板状部材でベース本体を覆うことができると共に、保持部材で板状部材の側面の少なくとも一部を覆うことができるので、店舗の内外装デザインによる美観の毀損を抑制することができる。
【００１１】
ベース付き椅子の一つの実施形態においては、前記保持部材が前記ベース本体の周方向に沿って延在している。
【００１２】
保持部材がベース本体の周方向に沿って延在していると、ベース本体の表面に板状部材が載置されたときに、板状部分の側面をより多く覆うことができるので、店舗の内外装デザインによる美観の毀損を更に抑制することができる。
【００１３】
ベース付き椅子の一つの実施形態において、前記保持部材は、前記ベース本体の表面に前記板状部材が載置されたときに前記板状部材の表面に対向する部分を有する。
【００１４】
保持部材が板状部材の表面に対向する部分を有していれば、ベース本体の表面に板状部材を載置したときに、板状部材の表面が保持部材で押さえられるので、ベース本体と板状部材とを接着等の方法により固定する必要がなく、長期間使用したときであっても、ベース本体から板状部材が剥がれることはない。また、保持部材に下方向の力が作用した場合でも、保持部材は板状部材の表面に対向しているので、保持部材が下方向にずれることはない。更に、異なる厚さを有する板状部材を用いた場合であっても、側方から見たときのベースの外観は変化しないので、店舗の内外装デザインによる美観の毀損度合いは変化しない。
【００１５】
ベース付き椅子の一つの実施形態において、前記保持部材は前記ベース本体の裏面に対向する部分を有する。
【００１６】
保持部材がベース本体の裏面に対向する部分を有していれば、ベース本体に当接する保持部材の面積が多くなる。具体的には、該対向する部分をベース本体の裏面に当接させることで保持部材の位置が定まる。よって、ベース本体に取り付ける保持部材の位置をより正確にすることができる。また、保持部材のベース本体の裏面に対向する部分は施術者や客から視認されないので、当該部分の存在で店舗の内外装デザインによる美観が損なわれることはない。
【００１７】
ベース付き椅子の一つの実施形態においては、前記ベース本体に対する前記保持部材の上下方向の位置を変化させる位置変化機構を更に備える。
【００１８】
位置変化機構によりベース本体に対する保持部材の上下方向の位置を変化させることができれば、ベース本体の表面に板状部材を載置したときに、板状部材の厚さが所定値より厚い場合や薄い場合であっても、保持部材上面と板状部材の表面とを常に面一にすることができる。そのため、板状部材の厚さに関わらず、店舗の内外装デザインによる美観の毀損を抑制することができる。
【００１９】
ベース付き椅子の一つの実施形態において、前記保持部材の側面の少なくとも一部は鏡面状である。
【００２０】
保持部材の側面の少なくとも一部が鏡面状であれば、ベース付き椅子を置いている床面の色、模様が保持部材の側面に映り保持部材の存在が目立ちにくくなるので、保持部材の存在による店舗の内外装デザインによる美観の毀損を抑制することができる。
【００２１】
ベース付き椅子の一つの実施形態において、前記保持部材は、ゴム系の材料からなる。
【００２２】
保持部材がゴム系の材料からなれば、ベース本体の表面に板状部材を載置したときに、保持部材の弾性力により板状部材を保持することが可能となる。そのため、板状部材を保持するために接着剤を用いる必要はないので、ベース付き椅子の組み立て工数を短縮し、ベース付き椅子を安価に製造することができる。また、施術者の靴の先端が保持部材に当たった場合であっても、板状部材が破損するのを防止することができると共に、靴に傷がつくのを防止することができる。
【００２３】
ベース付き椅子の一つの実施形態において、前記保持部材は、前記ベース本体の表面に対向する部分を有する。
【００２４】
保持部材がベース本体の表面に対向する部分を有していれば、保持部材に下方向の力が作用した場合でも、保持部材はベース本体に対して下方向にずれることはない。
【００２５】
ベース付き椅子の一つの実施形態において、前記支持部の側面の少なくとも一部は鏡面状である。
【００２６】
支持部の側面の少なくとも一部が鏡面状であれば、ベース本体の表面に板状部材を載置したときに、支持部の側面に板状部材の色、模様が映るので、支持部の存在が目立ちにくくなり、店舗の内外装デザインによる美観の毀損を抑制することができる。
【００２７】
ベース付き椅子の一つの実施形態においては、前記支持部が四角柱状の部分を有する。
【００２８】
支持部が四角柱状の部分を有していれば、ベース本体の表面に板状部材を載置したときに、支持部の側面には板状部材の模様が変形することなくそのまま映るので、ベース付き椅子を使用する客には、支持部に板状部材の色、模様と同色、同模様が施されているように見える。よって、支持部の存在が更に目立ちにくくなり、客には座部が宙に浮いているようにさえ見える。従って、店舗の内外装デザインによる美観の毀損を抑制することができる。
【００２９】
本発明に係るベース付き椅子の一つの実施形態は、座部と、前記座部の下面に接続された支持部と、前記支持部の下端に接続されたベースと、を備え、前記ベースは、ベース本体と、前記ベース本体の表面に載置された板状部材と、前記ベース本体の外周縁に取り付けられ、前記板状部材の側面の少なくとも一部を覆う保持部材と、を有する。
【００３０】
このような構成であれば、板状部材でベース本体を覆うことができると共に、保持部材で板状部材の側面の少なくとも一部を覆うことができるので、店舗の内外装デザインによる美観の毀損を抑制することができる。
【００３１】
本発明に係るベースの一つの実施形態は、ベース本体と、前記ベース本体の表面に載置された板状部材と、前記ベース本体の外周縁に取り付けられ、前記板状部材の側面の少なくとも一部を覆う保持部材と、を備えている。
【００３２】
このような構成を備えたベースであれば、板状部材でベース本体を覆うことができると共に、保持部材で板状部材の側面の少なくとも一部を覆うことができるので、店舗の内外装デザインによる美観の毀損を抑制することができる。また、このベースは、ベース付き椅子にのみ使用されるものではなく、ベースによって支持されるあらゆる機器に適用可能である。
【図面の簡単な説明】
【００３３】
【図１】第１実施形態に係る理美容用椅子の構成を表す斜視図である。
【図２】理美容用椅子の支持部とベースの部分を拡大した部分断面図である。
【図３】図２のIII-III線断面図である。
【図４】第２実施形態に係る理美容用椅子のベースの部分を拡大した断面図である。
【図５】第２実施形態の変形例に係る理美容用椅子のベースの部分を拡大した断面図である。
【図６】第３実施形態に係る理美容用椅子のベースの部分を拡大した断面図である。
【図７】第４実施形態に係る理美容用椅子のベースの部分を拡大した断面図である。
【図８】第５実施形態に係る理美容用椅子のベースの分解斜視図である。
【図９】第５実施形態に係る理美容用椅子のベースの部分を拡大して、保持部材の取り付け工程を表す断面図である。
【図１０】第６実施形態に係る理美容用椅子のベースの部分を拡大して、保持部材の取り付け工程を表す断面図である。
【発明を実施するための形態】
【００３４】
以下、本発明の実施形態について、図面を用いて詳細に説明する。なお、以下に記載される実施形態は、本発明を説明するための例示であり、本発明をこれらの実施形態にのみ限定するものではない。従って、本発明は、その要旨を逸脱しない限り、様々な形態で実施することができる。
【００３５】
〔第１実施形態〕
図１、図２に示すように、本発明の第１実施形態に係る理美容用椅子（以下、単に「椅子」とも称する）１０は、椅子部６０、支持部８０、ベース１００を備えている。理美容用椅子１０は床面に固定されておらず、移動可能である。理美容用椅子１０は、ベース付き椅子の一例である。
【００３６】
椅子部６０は、座部６１、背もたれ部６２、ヘッドレスト６３、ひじ掛け部６４、脚載せ部６５を有している。椅子部６０は公知の形状、構成を有しているので、詳細な説明は省略する。
【００３７】
支持部８０は、椅子部６０の座部６１の下面に接続されており、座部６１から下方に延在している。支持部８０は、四角柱状の部分である支持基礎８２、支持基礎８２の上端から延在し座部６１の下面に接続されている支柱８４、支持基礎８２の内部に収容された不図示の油圧シリンダの油圧を変化させる足踏みバー８６を有している。椅子１０においては、足踏みバー８６を足で踏んで操作することにより支持基礎８２に対して支柱８４を上下に伸縮させることができ、椅子部６０の上下方向の位置を変化させることができる。
【００３８】
支持部８０の支柱８４、足踏みバー８６は、いずれも鉄等の金属により構成されている。また、支持基礎８２は鉄等の金属又は樹脂で構成されている。支持部８０の支持基礎８２のうち少なくとも側面８２ａを構成する四面は、金属めっき加工（金属、樹脂の場合）や鏡面仕上げ加工（金属の場合）により表面が鏡面状に加工されている。支持基礎８２の側面８２ａを鏡面状にすることにより、支持基礎８２の側面８２ａには後述するベース１００の装飾板１３０の色、模様がそのまま映るので、椅子１０を使用する客（被施術者）には、支持基礎８２に装飾板１３０の色、模様と同色、同模様が施されているように見える。
【００３９】
本実施形態においては、支持基礎８２は四角柱状であったがこれに限られるものではなく、三角柱状や五角柱状以上の角柱状であってもよい。また、支持基礎８２は円柱状や楕円柱状であってもよいが、これらの場合は、装飾板１３０の模様が引き伸ばされて映る。
【００４０】
ベース１００は支持部８０の下端に接続されている。ベース１００は矩形の板状であり、椅子１０に客が座ってリクライニング等しても転倒しないだけの十分な面積を有している。
【００４１】
図２、図３に示すように、ベース１００は、ベース本体１１０、保持部材１２０、装飾板１３０、グライド１４０を有している。装飾板１３０は板状部材の一例である。
【００４２】
ベース本体１１０は鉄等の金属からなり、矩形板状を有している。支持部８０は、ベース本体１１０の中心に取り付けられている。ベース本体１１０の裏面１１０ｂの四隅近傍には、硬質ゴム等からなるグライド１４０が接着やねじ止め等の方法により取り付けられている。椅子１０はグライド１４０が床面に当接した状態で使用され、このときベース本体１１０は床面から浮いている。
【００４３】
ベース本体１１０の外周縁には、ベース本体１１０の周方向に沿って延在してベース本体１１０の全周を覆う、鉄等の金属又は樹脂からなる枠である保持部材１２０が、溶接や接着等の方法により取り付けられている。保持部材１２０の上下方向の長さはベース本体１１０の厚さよりも長く、図３に示すように、保持部材１２０はベース本体１１０の表面１１０ａ、裏面１１０ｂから上下方向に突出している。少なくとも保持部材１２０の側面１２０ａは、支持部８０の側面８２ａと同様の加工により鏡面状に仕上げられている。
【００４４】
ベース本体１１０の表面１１０ａには装飾板１３０が接着等の方法により載置されている。装飾板１３０の表面１３０ａは、例えば、椅子１０が配置される床面の色、模様と同色、同模様を有している。装飾板１３０の中央には支持部８０を避けるための矩形状の貫通孔が開いている。装飾板１３０の大きさはベース本体１１０と同じ大きさであり、ベース本体１１０と保持部材１２０により形成される凹部に隙間なく嵌り込む。これにより、装飾板１３０の側面１３０ｂは保持部材１２０に覆われると共に、保持部材１２０の上面１２０ｂと装飾板１３０の表面１３０ａとは面一になる（図３参照）。
【００４５】
このように、椅子１０は床面と同色、同模様の装飾板１３０を有しているので、移動可能でありながら、保持部材１２０を除いてベース１００の表面は金属部分（ベース本体１１０）が露出しておらず床面と同色、同模様になる。そのため、ベースの金属部分が露出した従来の理美容用椅子と比較して、椅子１０は、店舗の内外装デザインによる美観の毀損を抑制することができる。
【００４６】
また、椅子１０においては、保持部材１２０の側面１２０ａが鏡面状に加工されているので、保持部材１２０は金属部分として露出しているものの、床面の色、模様が保持部材の側面１２０ａに映り保持部材１２０の存在が目立ちにくくなる。このため、金属部分として視認されるのは、上面１２０ｂのみであるが、上面１２０ｂの面積は装飾板１３０の表面１３０ａの面積と比較して非常に小さいので目立ちにくい。
【００４７】
更に、支持部８０の支持基礎８２の側面８２ａにも装飾板１３０の色、模様が映るので、支持部８０の存在も目立ちにくくなり、客には椅子部６０が宙に浮いているようにさえ見える。このように、保持部材１２０の側面１２０ａや支持基礎８２の側面８２ａが鏡面状に加工されていると、店舗の内外装デザインによる美観の毀損を更に抑制することができる。
【００４８】
本実施形態においては、ベース１００の表面が床面と同色、同模様の装飾板１３０なので、床面とベース１００との境界が視認しづらくなっており、理美容師（施術者）の靴の先端がベース１００（保持部材１２０）に当たる場合がある。鉄等の金属又は樹脂からなる保持部材１２０をベース本体１１０の周囲全体に設けることにより、理美容師（施術者）の靴の先端がベース１００（保持部材１２０）に当たったときに装飾板１３０が破損するのを防止することができる。
【００４９】
〔第２実施形態〕
次に、本発明の第２実施形態に係る理美容用椅子１０について図４を用いて説明する。以下の各実施形態やその変形例の説明においては、第１実施形態と同じ構成の箇所には同じ符号を付し、同様の構成に関する説明は省略する。本実施形態に係る理美容用椅子１０においては、ベース２００を構成する保持部材がゴム等の弾性部材からなる保持部材２２０を備えている点であり、その他の構成は第１実施形態と同じである。
【００５０】
保持部材２２０は、ベース本体１１０と装飾板１３０の側面１３０ｂを覆う枠部分２２２と枠部分２２２の下端から内側に向かうように形成された第１鍔部分２２４と枠部分２２２の中間部分から内側に向かうように形成された第２鍔部分２２６を有している。保持部材２２０は、第１鍔部分２２４と第２鍔部分２２６がベース本体１１０の裏面１１０ｂと表面１１０ａにそれぞれ当接して挟み込むことにより、ベース本体１１０に取り付けられている。
【００５１】
装飾板１３０は、第２鍔部分２２６と枠部分２２２からなる凹部に嵌め込まれている。このとき、装飾板１３０とベース本体１１０の間には第２鍔部分２２６の厚みの分だけ隙間が生じている。装飾板１３０の外周と当接する枠部分２２２の内周面２２２ａの内周長は装飾板１３０の外周長よりも少し短く作られているので、装飾板１３０は、枠部分２２２の弾性力により保持部材２２０に保持される。そのため、装飾板１３０を保持するために接着剤を用いる必要はないので、椅子１０の組み立て工数を短縮して、椅子１０を安価に製造することができる。保持部材２２０（枠部分２２２）の上端と装飾板１３０の表面１３０ａとは面一になっている（図４参照）。
【００５２】
図４に示すように、装飾板１３０を保持する枠部分２２２の厚さＴ１は、ベース本体１１０を保持する枠部分２２２の厚さＴ２よりも薄くなっている。これは、装飾板１３０の面積を保持できる範囲で可能な限り大きくして店舗の内外装デザインによる美観の毀損を極力抑制するためである。
【００５３】
本実施形態においては、保持部材２２０はゴム等の弾性部材からなるので、その表面を鏡面仕上げにすることはできない。しかし、塗装や材料の練り込みによって保持部材２２０の色を床面の基調色と同色にすることは可能である。これにより、保持部材２２０の存在を目立たなくさせることができ、店舗の内外装デザインによる美観の毀損を抑制することができる。また、本実施形態においては、床面とベース２００との境界が分かりにくくなっており、理美容師（施術者）の靴の先端がベース２００（保持部材２２０）に当たる場合がある。そのような場合でも、弾性材料である保持部材２２０であれば、装飾板１３０が破損するのを防止することができると共に、靴に傷がつくのを防止することができる。
【００５４】
〔第２実施形態の変形例〕
次に、本発明の第２実施形態の変形例に係る理美容用椅子１０について図５を用いて説明する。本変形例に係る理美容用椅子１０においては、ベース２００ａを構成する保持部材がゴム等の弾性部材からなる保持部材２２０ａを備えている点であり、その他の構成は第１実施形態と同じである。
【００５５】
保持部材２２０ａは、第２実施形態の保持部材２２０と比較して、枠部分２２２全体が９０度屈曲して第２鍔部分２２６を形成している。すなわち、第２鍔部分２２６は枠部分２２２と同じ厚さを有している。第２鍔部分２２６は、第１鍔部分２２４とでベース本体１１０を挟み込みつつ端面２２６ａの弾性力で装飾板１３０を保持している。そのため、装飾板１３０を保持するために接着剤を用いる必要はない。また、本変形例では、装飾板１３０とベース本体１１０の間には隙間が生じない。ベース本体１１０の上に装飾板１３０を載置した状態で、第２鍔部分２２６の上面２２６ｂと装飾板１３０の表面１３０ａとは面一になっている（図５参照）。
【００５６】
このような構成であれば、装飾板１３０の面積は第２実施形態で用いる装飾板１３０の面積よりも小さくなるものの、装飾板１３０とベース本体１１０との間に隙間ができないので、装飾板１３０を安定して保持することができる。また、保持部材２２０の色を床面の基調色と同色にすることにより、保持部材２２０の存在を目立たなくさせて、店舗の内外装デザインによる美観の毀損を抑制することができる。
【００５７】
本変形例においては、装飾板１３０は第２鍔部分２２６の端面２２６ａにより保持したが、これだけに限られるものではない。第２鍔部分２２６を装飾板１３０の表面１３０ａに当接させ、第１鍔部分２２４と第２鍔部分２２６とでベース本体１１０と装飾板１３０の両方を挟み込んで保持する構成であってもよい。
【００５８】
〔第３実施形態〕
次に、本発明の第３実施形態に係る理美容用椅子１０について図６を用いて説明する。本実施形態に係る理美容用椅子１０においては、ベース３００を構成する保持部材が上側鍔部分３２４を有する保持部材３２０を備えている点であり、その他の構成は第１実施形態と同じである。
【００５９】
保持部材３２０は鉄等の金属又は樹脂からなる枠であり、第１実施形態の保持部材１２０と同形状である枠部分３２２と、枠部分３２２の上端から内側に向けて形成され装飾板１３０の表面１３０ａに対向している上側鍔部分３２４とを有している。保持部材３２０は上側鍔部分３２４を有しているので、本実施形態に係るベース３００を組み立てるときには、ベース本体１１０の表面１１０ａに装飾板１３０を載置した後に、保持部材３２０を上から嵌め込む。そして、保持部材３２０とベース本体１１０を溶接や接着等の方法により一体化する。保持部材３２０においては、少なくとも枠部分３２２の側面３２２ａは鏡面状に加工されている。
【００６０】
保持部材３２０のような構成であれば、装飾板１３０の縁部分が上側鍔部分３２４で押さえられるので、ベース本体１１０と装飾板１３０とを接着等の方法により固定する必要がなく、長期間使用したときであっても、ベース本体１１０から装飾板１３０が剥がれることはない。また、異なる厚さを有する装飾板１３０を用いた場合であっても、側方から見たときのベース３００の外観は変化しないので、店舗の内外装デザインによる美観の毀損度合いは変化しない。
【００６１】
ただし、第１実施形態の保持部材１２０の上面１２０ｂの面積と比較すると上側鍔部分３２４の上面３２４ａの面積は大きく、その分視認可能な装飾板１３０の表面１３０ａの面積が小さくなるので、第１実施形態と比較して、店舗の内外装デザインによる美観の毀損の抑制の度合いはやや劣るものとなる。
【００６２】
〔第４実施形態〕
次に、本発明の第４実施形態に係る理美容用椅子１０について図７を用いて説明する。本実施形態に係る理美容用椅子１０においては、ベース４００を構成する保持部材が下側鍔部分４２４を有する保持部材４２０を備えている点であり、その他の構成は第１実施形態と同じである。
【００６３】
保持部材４２０は鉄等の金属又は樹脂からなる枠であり、第１実施形態の保持部材１２０と同形状である枠部分４２２と、枠部分４２２の下端から内側に向けて形成されベース本体１１０の裏面１１０ｂに対向している下側鍔部分４２４とを有している。保持部材４２０は、溶接や接着等の方法によりベース本体１１０に取り付けられている。保持部材４２０の上面４２２ｂと装飾板１３０の表面１３０ａとは面一になっている。保持部材４２０において、少なくとも枠部分４２２の側面４２２ａは鏡面状に加工されている。
【００６４】
保持部材４２０は下側鍔部分４２４を有しているので、第１実施形態の保持部材１２０と比較してベース本体１１０に当接する面積が多くなる。具体的には、下側鍔部分４２４をベース本体１１０の裏面１１０ｂに当接させることで保持部材４２０の位置が定まる。よって、ベース本体１１０に取り付ける位置をより正確にすることができる。また、第３実施形態の保持部材３２０と比較して下側鍔部分４２４は視認されないので、本実施形態の椅子１０であれば、店舗の内外装デザインによる美観の毀損については、第１実施形態と同程度に抑制することができる。
【００６５】
〔第５実施形態〕
次に、本発明の第５実施形態に係る理美容用椅子１０について図８、図９を用いて説明する。本実施形態に係る理美容用椅子１０においては、ベース５００を構成する保持部材が底部分５２４を有する保持部材５２０を備えている点であり、その他の構成は第１実施形態と同じである。
【００６６】
保持部材５２０は鉄等の金属又は樹脂からなる矩形皿形状を有しており、第１実施形態の保持部材１２０と同形状である枠部分５２２と、枠部分５２２の下端から延在しベース本体１１０の裏面１１０ｂに対向してその全面を覆うように形成された底部分５２４とを有している。底部分５２４には、ベース本体１１０に取り付けられたグライド１４０が嵌入される第１貫通孔５２６が四個と、後述する雄ねじ５３０の軸部分が嵌入される第２貫通孔５２８が五個形成されている。保持部材５２０において、少なくとも枠部分５２２の側面５２２ａは鏡面状に加工されている。
【００６７】
ベース本体１１０の裏面１１０ｂには、雄ねじ５３０が締結される雌ねじ１１２が五個形成されている。本実施形態に係るベース５００においては、五ヶ所で雄ねじ５３０と雌ねじ１１２とが締結されるように構成されているが、これに限られるものではない。雄ねじ５３０と雌ねじ１１２の締結数は五ヶ所より多くても少なくてもよい。
【００６８】
通常、装飾板１３０は規格で決められた所定の厚さ（例えば３ｍｍ）を有している。所定の厚さの装飾板１３０を用いた場合には、装飾板１３０の厚さとベース本体１１０の厚さの合計は所定の値に定まるので、第４実施形態の保持部材４２０のように、保持部材４２０の上面４２２ｂと装飾板１３０の表面１３０ａとを常に面一にすることができる。しかし、第４実施形態において装飾板１３０の厚さが所定値より厚い場合や薄い場合には、装飾板１３０の側面１３０ｂが露出したり保持部材４２０の枠部分４２２の上端が装飾板１３０の表面１３０ａよりも突出したりするので、そのような椅子１０は、店舗の内外装デザインによる美観を毀損してしまう。
【００６９】
しかし、図９に示すように、本実施形態に係る保持部材５２０は、雄ねじ５３０の雌ねじ１１２への螺合によりベース本体１１０に取り付けられている。すなわち、雄ねじ５３０の雌ねじ１１２に螺合する長さを変化させることにより、ベース本体１１０に対する保持部材５２０の上下方向の位置を変化させることができる。これは、位置変化機構の一例である。これにより、装飾板１３０の厚さが所定値より厚い場合や薄い場合であっても、保持部材５２０の上面５２２ｂと装飾板１３０の表面１３０ａとを常に面一にすることができる。また、ベース本体１１０に装飾板１３０を取り付けた後に、保持部材５２０の上下方向の位置を変化させることができるので、枠部分５２２の上面５２２ｂと装飾板１３０の表面１３０ａとを容易に面一にすることができる。従って、本実施形態に係る椅子１０は、店舗の内外装デザインによる美観の毀損を抑制することができる。
【００７０】
〔第６実施形態〕
次に、本発明の第６実施形態に係る理美容用椅子１０について図１０を用いて説明する。本実施形態に係る理美容用椅子１０においては、ベース６００を構成する保持部材６２０とベース本体１１０とを接続する雄ねじが皿ねじ６３０である点であり、その他の構成は第５実施形態と同じである。
【００７１】
本実施形態においては、第５実施形態のように雄ねじを底部分５２４側から締結するのではなく、ベース本体１１０側から締結する。具体的には、ベース本体１１０に皿もみ付き貫通孔１１４を五個開けると共に、保持部材６２０に五個の雌ねじ６２６を形成する。そして、皿ねじ６３０を皿もみ付き貫通孔１１４に貫通させて保持部材６２０の雌ねじ６２６に螺合させる。
【００７２】
そして、装飾板１３０をベース本体１１０に載置する前の状態で、皿ねじ６３０と雌ねじ６２６の螺合位置を変化させて、ベース本体１１０に対する保持部材６２０の上下方向の位置を設定する。具体的には、保持部材６２０の枠部分６２２のベース本体１１０の表面１１０ａからの突出高さを装飾板１３０の厚さに一致させる。その後に装飾板１３０を取り付ける。保持部材６２０において、少なくとも枠部分６２２の側面６２２ａは鏡面状に加工されている。
【００７３】
本実施形態においては、皿ねじ６３０のねじ頭がベース本体１１０の表面１１０ａ側に露出しているので、皿ねじ６３０と雌ねじ６２６の螺合位置を変化させることにより、椅子１０を床面に置いた状態で保持部材６２０の上下方向の位置を容易に変化させることができる。これは、位置変化機構の一例である。これにより、装飾板１３０の厚さが所定値より厚い場合や薄い場合であっても、保持部材６２０の枠部分６２２の上面６２２ｂと装飾板１３０の表面１３０ａとを面一にすることができる。従って、本変形例に係る椅子１０は、店舗の内外装デザインによる美観の毀損を抑制することができる。
【００７４】
〔その他の変形例〕
（１）上記の各実施形態及び変形例においては、椅子１０の装飾板１３０は、床面の色、模様と同色、同模様であるとして説明したがこれに限られるものではない。例えば、装飾板１３０を床面の基調色と同系色にしつつ異なる模様又は無模様にしてもよい。また、装飾板は、ベース本体の表面１１０aと対面する以外の面は、凹凸形状としてもよく、店舗の内外装デザインによる美観を著しく毀損しない範囲において、装飾板１３０の色、模様を床面の色、模様と異なるものにしてもよい。
【００７５】
（２）上記の各実施形態及び変形例においては、保持部材はいずれもベース本体１１０及び装飾板１３０の外周全体を覆う一部品として形成されていたが、これに限られるものではない。保持部材がベース本体１１０及び装飾板１３０の外周の一部を覆う形状であってもよいし、保持部材が複数の部品から構成されていてもよい。
【００７６】
（３）上記の実施例及び変形例においては、椅子１０について説明したが、装飾板１３０が載置されたベース１００〜６００は椅子１０以外にも適用可能であることは言うまでもない。例えば、照明スタンドやパーマ機に装飾板１３０が載置されたベース１００〜６００を用いてもよい。すなわち、ベース１００〜６００は、それによって支持されるあらゆる機器に適用可能であり、又、その適用範囲は理美容院に限られるものではない。
【産業上の利用可能性】
【００７７】
本発明は、ベース付き椅子及びベースに利用することが可能である。
【符号の説明】
【００７８】
１０        理美容用椅子（ベース付き椅子）
６１        座部
８０        支持部
１００、２００、２００ａ、３００、４００、５００、６００      ベース
１１０      ベース本体
１２０、２２０、２２０ａ、３２０、４２０、５２０、６２０      保持部材
１３０      装飾板（板状部材）
【図１】
2017184819.tif 000003
【図２】
2017184819.tif 000004
【図３】
2017184819.tif 000005
【図４】
2017184819.tif 000006
【図５】
2017184819.tif 000007
【図６】
2017184819.tif 000008
【図７】
2017184819.tif 000009
【図８】
2017184819.tif 000010
【図９】
2017184819.tif 000011
【図１０】
2017184819.tif 000012